(57)【要約】      （修正有）【課題】タッチ電極の境界に、タッチセンシングラインが位置しないようにしたタッチスクリーン内蔵型表示装置及びこれの駆動方法を提供する。【解決手段】基板、ｍ個のサブピクセルを備えるＭ＊ｎ個のピクセル（ｍは３または４、Ｍはｍが３である場合、偶数であり、ｍが４である場合、自然数）、（Ｍ＊ｍ／２）＋１個のデータラインＤＬ、２ｎ個（ｎは自然数）のゲートラインＧＬ、複数のタッチ電極を含み、サブピクセルのｎ行は２ｎ個のゲートラインの連続した奇数番目のゲートラインと偶数番目のゲートラインで画定され、サブピクセルのｎ行と対応する各水平ラインには、（Ｍ＊ｍ／２）−１個のデータラインが一対のサブピクセルを共有するように接続し、表示パネルに配置されるサブピクセルのうち、強充電サブピクセルと、弱充電サブピクセルに対応するカラーを調節する。【選択図】図１
2018060156.tif 000002
【特許請求の範囲】
【請求項１】
表示領域を備える基板と、
前記表示領域内に備えられるｍ個のサブピクセルを備えるＭ＊ｎ個のピクセル（ｍは３または４、Ｍはｍが３である場合、偶数であり、ｍが４である場合、自然数）と、
前記基板上の（Ｍ＊ｍ／２）＋１個のデータラインと、
前記基板上の前記データラインと交差する２ｎ個（ｎは自然数）のゲートラインと、
前記基板上の複数のタッチ電極とを含み、
前記サブピクセルのｎ行は、前記２ｎ個のゲートラインの連続した奇数番目のゲートラインと偶数番目のゲートラインで画定され、
前記サブピクセルのｎ行と対応する各水平ラインには、（Ｍ＊ｍ／２）−１個のデータラインが一対のサブピクセルを共有するように接続された、タッチスクリーン内蔵型表示装置。
【請求項２】
前記タッチ電極間に前記データラインが配置される、請求項１に記載のタッチスクリーン内蔵型表示装置。
【請求項３】
前記基板の表示領域の両側端には、第１番目と第（Ｍ＊ｍ／２）＋１番目のデータラインが配置される、請求項１に記載のタッチスクリーン内蔵型表示装置。
【請求項４】
前記表示領域の両側端に配置された前記第１番目と第（Ｍ＊ｍ／２）＋１番目のデータラインの外側にそれぞれ配置された第１および第２のダミーサブピクセルをさらに含む、請求項３に記載のタッチスクリーン内蔵型表示装置。
【請求項５】
各水平ラインの両側端に、前記第１および第２のダミーサブピクセルが配置される、請求項４に記載のタッチスクリーン内蔵型表示装置。
【請求項６】
各水平ラインの第１番目のデータラインには、サブピクセルのうち、赤色サブピクセルが、偶数番目のゲートラインと連結された、請求項５に記載のタッチスクリーン内蔵型表示装置。
【請求項７】
前記第１および第２のダミーサブピクセルは、前記ゲートラインおよび前記第１番目と第（Ｍ＊ｍ／２）＋１番目のデータラインと電気的に分離された、請求項４に記載のタッチスクリーン内蔵型表示装置。
【請求項８】
前記サブピクセルは、複数のタッチ電極とそれぞれ重畳し、前記第１および第２のダミーサブピクセルは、タッチ電極と一部が重畳する、請求項４に記載のタッチスクリーン内蔵型表示装置。
【請求項９】
前記複数のタッチ電極にタッチ駆動信号を供給するために、前記データラインと列方向のサブピクセルを間にして交互に配置された複数のタッチセンシングラインをさらに含む、請求項１に記載のタッチスクリーン内蔵型表示装置。
【請求項１０】
前記タッチ電極間の境界には、前記タッチセンシングラインが位置しない、請求項９に記載のタッチスクリーン内蔵型表示装置。
【請求項１１】
各水平ラインに配置されたサブピクセルは、奇数番目のゲートラインと接続される弱充電サブピクセルと、偶数番目のゲートラインと接続される強充電サブピクセルとに区分され、
前記サブピクセルのうち、青色（Ｂ）のサブピクセルは、前記強充電サブピクセルと前記弱充電サブピクセルに交互に配置される、請求項１に記載のタッチスクリーン内蔵型表示装置。
【請求項１２】
各水平ラインに配置されたサブピクセルは、奇数番目のゲートラインと接続される弱充電サブピクセルと、偶数番目のゲートラインと接続される強充電サブピクセルとに区分され、
各水平ラインに配置されたサブピクセルのうち、赤色（Ｒ）のサブピクセルは、前記強充電サブピクセルに配置される、請求項１に記載のタッチスクリーン内蔵型表示装置。
【請求項１３】
各水平ラインに配置されたサブピクセルは、奇数番目のゲートラインと接続される弱充電サブピクセルと、偶数番目のゲートラインと接続される強充電サブピクセルとに区分され、
各水平ラインに配置されたサブピクセルのうち、緑色（Ｇ）のサブピクセルは、前記弱充電サブピクセルに配置される、請求項１に記載のタッチスクリーン内蔵型表示装置。
【請求項１４】
表示領域を備える基板と、前記表示領域内に備えられるｍ個のサブピクセルを備えるＭ＊ｎ個のピクセル（ｍは３または４、Ｍはｍが３である場合、偶数であり、ｍが４である場合自然数）と、前記基板上の（Ｍ＊ｍ／２）＋１個のデータラインと、前記基板上の前記データラインと交差する２ｎ個（ｎは自然数）のゲートラインおよび前記基板上の複数のタッチ電極を含み、
前記サブピクセルのｎ行は、前記２ｎ個のゲートラインの連続した奇数番目のゲートラインと偶数番目のゲートラインで画定され、
前記サブピクセルのｎ行と対応する各水平ラインには、（Ｍ＊ｍ／２）-１個のデータラインが一対のサブピクセルを共有するように接続されたタッチスクリーン内蔵型表示装置の駆動方法において、
各水平ラインに配置されたサブピクセルは、各データラインを基準に左側から右側方向への駆動と右側から左側方向への駆動が混在して駆動するステップを含む、タッチスクリーン内蔵型表示装置の駆動方法。
【請求項１５】
前記表示領域の両側端に配置された第１番目と第（Ｍ＊ｍ／２）＋１番目のデータラインの外側にそれぞれ配置された第１および第２のダミーサブピクセルをさらに含み、
前記第１および第２のダミーサブピクセルには、駆動中のデータ電圧が供給されない、請求項１４に記載のタッチスクリーン内蔵型表示装置の駆動方法。
【請求項１６】
各水平ラインに配置されたサブピクセルは、奇数番目のゲートラインと接続される弱充電サブピクセルと、偶数番目のゲートラインと接続される強充電サブピクセルとに区分され、
前記サブピクセルのうち、青色（Ｂ）のサブピクセルは、前記強充電サブピクセルと前記弱充電サブピクセルに交互に配置される、請求項１４に記載のタッチスクリーン内蔵型表示装置の駆動方法。
【請求項１７】
各水平ラインに配置されたサブピクセルは、奇数番目のゲートラインと接続される弱充電サブピクセルと、偶数番目のゲートラインと接続される強充電サブピクセルとに区分され、
各水平ラインに配置されたサブピクセルのうち、赤色（Ｒ）のサブピクセルは前記強充電サブピクセルに配置される、請求項１４に記載のタッチスクリーン内蔵型表示装置の駆動方法。
【請求項１８】
各水平ラインに配置されたサブピクセルは、奇数番目のゲートラインと接続される弱充電サブピクセルと、偶数番目のゲートラインと接続される強充電サブピクセルとに区分され、
各水平ラインに配置されたサブピクセルのうち、緑色（Ｇ）のサブピクセルは、前記弱充電サブピクセルに配置される、請求項１４に記載のタッチスクリーン内蔵型表示装置の駆動方法。
【発明の詳細な説明】
【技術分野】
【０００１】
本実施形態は、タッチスクリーン内蔵型表示装置およびこれの駆動方法に関する。
【背景技術】
【０００２】
情報化社会が発展するに伴って画像を表示するための表示装置への要求が様々な形態で増加しており、近来は、液晶表示装置（ＬＣＤ：Ｌｉｑｕｉｄ  Ｃｒｙｓｔａｌ  Ｄｉｓｐｌａｙ）、プラズマ表示装置（ＰＤＰ：Ｐｌａｓｍａ  Ｄｉｓｐｌａｙ  Ｐａｎｅｌ）、有機発光表示装置（ＯＬＥＤ：Ｏｒｇａｎｉｃ  Ｌｉｇｈｔ  Ｅｍｉｔｔｉｎｇ  Ｄｉｓｐｌａｙ  Ｄｅｖｉｃｅ）等のような様々な表示装置が活用されている。
【０００３】
このような表示装置は、ボタン、キーボード、マウス等の通常の入力方式から脱皮して、ユーザが容易に情報あるいは命令を直観的かつ便利に入力できるようにするタッチベースの入力方式を提供する。
【０００４】
このようなタッチベースの入力方式を提供するためには、ユーザのタッチ有無を把握し、タッチ座標が正確に検出できなければならない。
【０００５】
このために、従来は、抵抗膜方式、キャパシタンス方式、電磁気誘導方式、赤外線方式、超音波方式等の様々なタッチ方式のうち一つのタッチ方式を採用してタッチセンシングを提供する。
【０００６】
また、表示装置にタッチスクリーンを適用するにあたって、表示装置内にタッチセンサを内蔵する開発が行われているが、特に、下部基板に形成された共通電極をタッチ電極として活用するイン−セル（Ｉｎ−Ｃｅｌｌ）タイプの表示装置が開発されている。
【０００７】
また、表示装置は、ゲートライン（ＧＬ）を駆動するためのゲートドライバとデータライン（ＤＬ）を駆動するためのデータドライバを含むが、特に、データドライバは、他の部品に比べて相対的に高価なため、データドライバ内の集積回路（ＩＣ）を小さくすることができるＤＲＤ（Ｄｏｕｂｌｅ  Ｒａｔｅ  Ｄｒｉｖｉｎｇ）構造が提案されている。
【０００８】
このような、ＤＲＤ構造の表示装置は、従来に比べ、ゲートライン（ＧＬ）の個数は、２倍（ｎ個−＞２ｎ個）に増やす代わりに、データライン（ＤＬ）の個数は１／２倍に減らすことができる（ｍ個−>（ｍ／２）個）。
【０００９】
しかし、ＤＲＤ構造をタッチ電極が内蔵されたタッチスクリーン内蔵型表示装置に適用した場合、データライン（ＤＬ）とタッチセンシングラインが交互に配置されることにより、タッチ電極間にタッチセンシングラインが位置し、タッチ電極間の境界にムラ不良が発生する問題がある。
【発明の概要】
【発明が解決しようとする課題】
【００１０】
本実施形態は、表示パネルに第１および第２のダミーサブピクセルを配置し、タッチ電極をシフトさせることにより、タッチ電極の境界にタッチセンシングライン（ＳＬ）が位置しないようにしたタッチスクリーン内蔵型表示装置およびこれの駆動方法を提供することにその目的がある。
【００１１】
また、本実施形態は、ＤＲＤ（Ｄｏｕｂｌｅ  Ｒａｔｅ  Ｄｒｉｖｉｎｇ）方式で駆動し、Ｚインバージョンと逆Ｚ（Ｓ）インバージョンの混在方式で駆動し、データドライバの出力チャンネル数（データライン数）を減らし、かつ消費電力を節減したタッチスクリーン内蔵型表示装置およびこれの駆動方法を提供することにもう一つの目的がある。
【００１２】
また、本実施形態は、表示パネルに配置されるサブピクセルのうち、強充電サブピクセルと弱充電サブピクセルに対応するカラーを調節することによって、横方向に沿って発生する横線不良を改善したタッチスクリーン内蔵型表示装置およびこれの駆動方法を提供することにもう一つの目的がある。
【課題を解決するための手段】
【００１３】
本実施形態に係るタッチスクリーン内蔵型表示装置は、表示領域を備える基板、表示領域内に備えられるｍ個のサブピクセルを備えるＭ＊ｎ個のピクセル（ｍは３または４、Ｍはｍが３である場合、偶数であり、ｍが４である場合、自然数）、基板上に（Ｍ＊ｍ／２)＋１個のデータライン、基板上に前記データラインと交差する２ｎ個（ｎは自然数）のゲートライン、基板上に複数のタッチ電極を含むことができる。
【００１４】
また、本実施形態に係るタッチスクリーン内蔵型表示装置は、サブピクセルのｎ行は２ｎ個のゲートラインの連続した奇数番目のゲートラインと偶数番目のゲートラインで画定され、サブピクセルのｎ行と対応する各水平ラインには、（Ｍ＊ｍ／２）−１個のデータラインが一対のサブピクセルを共有するように接続されることができる。
【００１５】
また、本実施形態に係るタッチスクリーン内蔵型表示装置は、タッチ電極間にデータラインが配置されることができる。
【００１６】
また、本実施形態に係るタッチスクリーン内蔵型表示装置は、基板の表示領域の両側端には、第１番目と第（Ｍ＊ｍ／２）＋１番目のデータラインが配置されることができる。
【００１７】
また、本実施形態に係るタッチスクリーン内蔵型表示装置は、表示領域の両側端に配置された第１番目と第（Ｍ＊ｍ／２）＋１番目のデータラインの外側にそれぞれ配置された第１および第２のダミーサブピクセルをさらに含むことができる。
【００１８】
また、本実施形態に係るタッチスクリーン内蔵型表示装置は、各水平ラインの両側端には、第１および第２のダミーサブピクセルが配置されることができる。
【００１９】
また、本実施形態に係るタッチスクリーン内蔵型表示装置は、各水平ラインの第１番目のデータラインには、サブピクセルのうち、赤色サブピクセルが偶数番目のゲートラインと連結されることができる。
【００２０】
また、本実施形態に係るタッチスクリーン内蔵型表示装置は、第１および第２のダミーサブピクセルは、ゲートラインおよび第１回目と第（Ｍ＊ｍ／２）＋１番目のデータラインと電気的に分離されることができる。
【００２１】
また、本実施形態に係るタッチスクリーン内蔵型表示装置は、サブピクセルは、複数のタッチ電極とそれぞれ重畳し、第１および第２のダミーサブピクセルは、タッチ電極と一部が重畳されることができる。
【００２２】
また、本実施形態に係るタッチスクリーン内蔵型表示装置は、複数のタッチ電極にタッチ駆動信号を供給するために、データラインと列方向のサブピクセルを間にして交互に配置された複数のタッチセンシングラインをさらに含むことができる。
【００２３】
また、本実施形態に係るタッチスクリーン内蔵型表示装置は、タッチ電極間の境界には、タッチセンシングラインが位置しないことがある。
【００２４】
また、本実施形態に係るタッチスクリーン内蔵型表示装置は、各水平ラインに配置されたサブピクセルは、奇数番目のゲートラインと接続される弱充電サブピクセルと偶数番目のゲートラインと接続される強充電サブピクセルとに区分され、サブピクセルのうち、青色（Ｂ）のサブピクセルは、強充電サブピクセルと、弱充電サブピクセルに交互に配置されることができる。
【００２５】
また、本実施形態に係るタッチスクリーン内蔵型表示装置は、各水平ラインに配置されたサブピクセルは、奇数番目のゲートラインと接続される弱充電サブピクセルと偶数番目のゲートラインと接続される強充電サブピクセルとに区分され、各水平ラインに配置されたサブピクセルのうち、赤色（Ｒ）のサブピクセルは、強充電サブピクセルに配置されることができる。
【００２６】
また、本実施形態に係るタッチスクリーン内蔵型表示装置は、各水平ラインに配置されたサブピクセルは、奇数番目のゲートラインと接続される弱充電サブピクセルと偶数番目のゲートラインと接続される強充電サブピクセルとに区分され、各水平ラインに配置されたサブピクセルのうち、緑色（Ｇ）のサブピクセルは、弱充電サブピクセルに配置されることができる。
【００２７】
また、本実施形態に係るタッチスクリーン内蔵型表示装置の駆動方法は、表示領域を備える基板と、上記表示領域内に備えられるｍ個のサブピクセルを備えるＭ＊ｎ個のピクセル（ｍは３または４、Ｍはｍが３である場合、偶数であり、ｍが４である場合、自然数）と、基板上に（Ｍ＊ｍ／２）＋１個のデータラインと、基板上にデータラインと交差する２ｎ個（ｎは自然数）のゲートラインおよび基板上に複数のタッチ電極とを含むことができる。
【００２８】
また、本実施形態に係るタッチスクリーン内蔵型表示装置の駆動方法は、サブピクセルのｎ行は、２ｎ個のゲートラインの連続した奇数番目のゲートラインと偶数番目のゲートラインで画定され、サブピクセルのｎ行と対応する各水平ラインには、（Ｍ＊ｍ／２）−１個のデータラインが一対のサブピクセルを共有するように接続することができる。
【００２９】
また、本実施形態に係るタッチスクリーン内蔵型表示装置の駆動方法は、各水平ラインに配置されたサブピクセルは、各データラインを基準に左側から右側方向への駆動と右側から左側方向への駆動が混在して駆動するステップを含むことができる。
【００３０】
また、本実施形態に係るタッチスクリーン内蔵型表示装置の駆動方法は、表示領域の両側端に配置された第１番目と第（Ｍ＊ｍ／２）＋１番目のデータラインの外側にそれぞれ配置された第１および第２のダミーサブピクセルをさらに含み、第１および第２のダミーサブピクセルには、駆動中、データ電圧が供給されないことがある。
【００３１】
また、本実施形態に係るタッチスクリーン内蔵型表示装置の駆動方法は、各水平ラインに配置されたサブピクセルは、奇数番目のゲートラインと接続される弱充電サブピクセルと偶数番目のゲートラインと接続される強充電サブピクセルとに区分され、サブピクセルのうち、青色（Ｂ）のサブピクセルは、強充電サブピクセルと弱充電サブピクセルに交互に配置されることができる。
【００３２】
また、本実施形態に係るタッチスクリーン内蔵型表示装置の駆動方法は、各水平ラインに配置されたサブピクセルは、奇数番目のゲートラインと接続される弱充電サブピクセルと偶数番目のゲートラインと接続される強充電サブピクセルとに区分され、各水平ラインに配置されたサブピクセルのうち、赤色（Ｒ）のサブピクセルは、強充電サブピクセルに配置されることができる。
【００３３】
また、本実施形態に係るタッチスクリーン内蔵型表示装置の駆動方法は、各水平ラインに配置されたサブピクセルは、奇数番目のゲートラインと接続される弱充電サブピクセルと偶数番目のゲートラインと接続される強充電サブピクセルとに区分され、各水平ラインに配置されたサブピクセルのうち、緑色（Ｇ）のサブピクセルは、弱充電サブピクセルに配置されることができる。
【００３４】
また、本実施形態に係るタッチスクリーン内蔵型表示装置およびこれの駆動方法は、表示パネルに配置されるサブピクセルのうち、強充電サブピクセルと弱充電サブピクセルに対応するカラーを調節することによって、横方向に沿って発生する横線不良を改善することができる。
【発明の効果】
【００３５】
本実施形態に係るタッチスクリーン内蔵型表示装置およびこれの駆動方法は、表示パネルに第１および第２のダミーサブピクセルを配置し、タッチ電極をシフトさせることにより、タッチ電極の境界にタッチセンシングライン（ＳＬ）が位置しないようにした効果がある。
【００３６】
また、本実施形態に係るタッチスクリーン内蔵型表示装置およびこれの駆動方法は、ＤＲＤ（Ｄｏｕｂｌｅ  Ｒａｔｅ  Ｄｒｉｖｉｎｇ）方式で駆動し、Ｚインバージョンと逆Ｚ（Ｓ）インバージョンの混在方式で駆動し、データドライバの出力チャンネル数（データライン数）を減らしながら、消費電力を節減した効果がある。
【００３７】
また、本実施形態に係るタッチスクリーン内蔵型表示装置およびこれの駆動方法は、表示パネルに配置されるサブピクセルのうち、強充電サブピクセルと弱充電サブピクセルに対応するカラーを調節することによって、横方向に沿って発生する横線不良を改善した効果がある。
【図面の簡単な説明】
【００３８】
【図１】本実施形態に係るタッチスクリーン内蔵型表示装置の構成図である。
【図２】本実施形態に係るタッチスクリーン内蔵型表示装置において、タッチモード時に発生するキャパシタンス成分（Ｃｓｅｌｆ、Ｃｐａｒａ１、Ｃｐａｒａ２を示す図である。
【図３】本実施形態に係るタッチスクリーン内蔵型表示装置に含まれた表示パネルの平面図である。
【図４】本実施形態に係るタッチスクリーン内蔵型表示装置が液晶表示装置である場合、表示パネルの断面図を例示的に示す図である。
【図５】本実施形態に係るタッチスクリーン内蔵型表示装置に含まれた表示パネルのもう一つの平面図である。
【図６】タッチスクリーン内蔵型表示装置のサブピクセルの構造を示す図である。
【図７】タッチスクリーン内蔵型表示装置に配置されたタッチ電極間に配置されたタッチセンシングラインが位置する場合の図である。
【図８】本実施形態に係るタッチスクリーン内蔵型表示装置のサブピクセルの構造を示す図である。
【図９】本実施形態に係るタッチスクリーン内蔵型表示装置に配置されたタッチ電極間の領域を示す図である。
【図１０】本実施形態に係るサブピクセルにおいて充填量が異なる原理を説明するための図である。
【図１１】本実施形態に係るサブピクセルにおいて充填量が異なる原理を説明するための図である。
【図１２】本実施形態に係るタッチスクリーン内蔵型表示装置の駆動方式と各サブピクセルのカラー関係を説明するための図である。
【図１３】本実施形態に係るタッチスクリーン内蔵型表示装置において横線不良が除去される原理を説明するための図である。
【図１４】本実施形態に係るタッチスクリーン内蔵型表示装置の駆動方法を示す図である。
【発明を実施するための形態】
【００３９】
本発明の利点および特徴、そしてそれらを達成する方法は、添付の図面とともに詳細に後述する実施形態を参照すると明確になる。しかし、本発明は、以下に開示する実施形態に限定されるものではなく、互いに異なる多様な形態に具現されるものであり、ただ本実施形態においては、本発明の開示が完全なものとなるようにし、本発明が属する技術分野で通常の知識を有する者に発明の範疇を完全に知らせるために提供されるものであり、本発明は、請求項のカテゴリによって定義されるだけである。
【００４０】
本発明の実施形態を説明するための図に開示された形状、大きさ、割合、角度、個数などは例示的なものであるため、本発明が示す事項に限定されるものではない。明細書全体にわたって同一参照符号は同一の構成要素を指す。また、本発明を説明するに当たって、関連する公知技術に対する具体的な説明が本発明の要旨を不要に曖昧にすると判断された場合、その詳細な説明は省略する。
【００４１】
本明細書上にて言及する「含む」、「有する」、「なされる」などが用いられる場合は、「〜のみ」が用いられていない以上、他の部分が追加され得る。構成要素を単数で表現した場合、特に明示的な記載事項がない限り、複数を含む場合を含む。
【００４２】
構成要素を解釈するに当たり、別途の明示的な記載がなくても誤差範囲を含むものと解釈する。
【００４３】
位置関係についての説明において、例えば、「〜上に」、「〜上部に」、「〜下部に」、「〜の隣に」などと、２つの部分の位置関係が説明されている場合、「直ぐ(真)」または「直接」が用いられていない以上、２つの部分の間に１つ以上の他の部分が位置することもできる。
【００４４】
時間関係についての説明において、例えば、「〜の後に」、「〜に続いて」、「〜の次に」、「〜の前に」などと時間的前後関係が説明されている場合、「すぐに」または「直接」が使用されていない以上、連続していない場合も含むことができる。
【００４５】
第１、第２などがさまざまな構成要素を叙述するために用いられるが、これらの構成要素はこれらの用語によって制限されない。これらの用語は、ただ一つの構成要素をもう一つの構成要素と区別するために用いられるものである。したがって、以下に言及する第１の構成要素は、本発明の技術的思想内で第２の構成要素であるとすることができる。
【００４６】
本発明の数々の実施形態のそれぞれの特徴が部分的または全体的に互いに結合または組み合わせ可能で、技術的に様々な連動と駆動が可能であり、各実施形態は、互いに対して独立して実施することもでき、関連関係から一緒に実施することもできる。
【００４７】
以下、本発明の実施形態は、図面を参照して詳細に説明する。また、図面において、装置の大きさや厚さなどは便宜のために誇張して表現されることもある。明細書全体にわたって同じ参照番号は同じ構成要素を示す。
【００４８】
図１は、本発明に係るタッチスクリーン内蔵型表示装置１００の構成図である。
【００４９】
図１を参照すると、本発明に係るタッチスクリーン内蔵型表示装置１００は、画像表示機能（ディスプレイ機能）とタッチセンシング機能を提供することができる表示装置である。
【００５０】
このような本発明に係るタッチスクリーン内蔵型表示装置１００は、一例として、タッチ入力へのタッチセンシング機能を有するＴＶ、モニターなどの中大型デバイスまたは、スマートフォン、タブレットなどのモバイルデバイスであってもよい。
【００５１】
図１を参照すると、本発明に係るタッチスクリーン内蔵型表示装置１００は、ディスプレイ機能を提供するために、表示パネル１１０、データドライバ１２０、ゲートドライバ１３０およびコントローラ１４０などを含む。
【００５２】
表示パネル１１０は、第１の方向（例えば、列方向）に配置された多数のデータライン（ＤＬ）と、第２の方向（例えば、行方向）に配置された多数のゲートライン（ＧＬ）を含むことができる。
【００５３】
データドライバ１２０は、多数のデータライン（ＤＬ）を駆動する。ここで、データドライバ１２０は、「ソースドライバ」とも呼ばれる。
【００５４】
ゲートドライバ１３０は、多数のゲートライン（ＧＬ）を駆動する。ここで、ゲートドライバ１３０は、「スキャンドライバ」とも呼ばれる
【００５５】
コントローラ１４０は、データドライバ１２０およびゲートドライバ１３０を制御するが、そのために、データドライバ１２０およびゲートドライバ１３０に各種制御信号を供給する。
【００５６】
このようなコントローラ１４０は、各フレームで具現するタイミングに応じて、スキャンを始め、外部から入力される入力画像データをデータドライバ１２０で用いられるデータ信号の形式に合わせて変換して変換された画像データを出力し、スキャンに合わせて適宜時間にデータ駆動を統制する。
【００５７】
このようなコントローラ１４０は、通常のディスプレイ技術で利用されるタイミングコントローラ（Ｔｉｍｉｎｇ  Ｃｏｎｔｒｏｌｌｅｒ）であってもよく、タイミングコントローラ（Ｔｉｍｉｎｇ  Ｃｏｎｔｒｏｌｌｅｒ）を含んで他の制御機能もさらに行う制御装置であってもよい。
【００５８】
ゲートドライバ１３０は、コントローラ１４０の制御に応じて、オン（Ｏｎ）電圧またはオフ（Ｏｆｆ）電圧のスキャン信号を多数のゲートライン（ＧＬ）に順次供給する。
【００５９】
データドライバ１２０は、ゲートドライバ１３０により、特定のゲートラインが開けば、コントローラ１４０から受信した画像データをアナログ形式のデータ電圧に変換して、多数のデータライン（ＤＬ）に供給する。
【００６０】
データドライバ１２０は、図１において表示パネル１１０の一側（例えば、上側または下側）にのみ位置しているが、駆動方式、パネル設計方式などに応じて表示パネル１１０の両側（例えば、上側と下側）のいずれにも位置することができる。
【００６１】
ゲートドライバ１３０は、図１にて表示パネル１１０の一側（例えば、左側または右側）にのみ位置しているが、駆動方式、パネル設計方式などに応じて表示パネル１１０の両側（例えば、左側と右側）のいずれにも位置することができる。
【００６２】
前述したコントローラ１４０は、入力画像データとともに、垂直同期信号（Ｖｓｙｎｃ）、水平同期信号（Ｈｓｙｎｃ）、入力データイネーブル（ＤＥ：Ｄａｔａ  Ｅｎａｂｌｅ）信号、クロック信号（ＣＬＫ）などを含む各種のタイミング信号を外部（例えば、ホストシステム）から受信する。
【００６３】
本実施形態に係るタッチスクリーン内蔵型表示装置１００は、液晶表示装置（Ｌｉｑｕｉｄ  Ｃｒｙｓｔａｌ  Ｄｉｓｐｌａｙ  Ｄｅｖｉｃｅ）、有機発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）、プラズマ表示装置（Ｐｌａｓｍａ  Ｄｉｓｐｌａｙ  Ｄｅｖｉｃｅ）などの様々なタイプの装置であってもよい。一例として、液晶分子を水平に配列して、これを元の位置で回転させながら、画面を表現する方法で、高解像度、低電力、広視野角などに有利な長所を有するＩＰＳ（Ｉｎ−Ｐｌａｎｅ  Ｓｗｉｔｃｈｉｎｇ）方式の液晶表示装置であってもよい。さらに具体的には、ＡＨ−ＩＰＳ（Ａｄｖａｎｃｅｄ  Ｈｉｇｈ  Ｐｅｒｆｏｒｍａｎｃｅ−ＩＰＳ）方式の液晶表示装置であってもよい。
【００６４】
表示パネル１１０に配置される各サブピクセル（ＳＰ）は、トランジスタなどの回路素子を含んで構成されることができる。
【００６５】
一方、本発明に係るタッチスクリーン内蔵型表示装置１００は、タッチセンシング機能を提供するためのタッチシステムを含むことができる。
【００６６】
図１を参照すると、タッチシステムは、タッチセンサー（Ｔｏｕｃｈ  Ｓｅｎｓｏｒ）としての役割をする多数のタッチ電極（ＴＥ）と、多数のタッチ電極（ＴＥ）を駆動して、タッチをセンシングするタッチ回路１５０などを含むことができる。
【００６７】
タッチ回路１５０は、タッチ駆動信号を多数のタッチ電極（ＴＥ）に順次供給することにより、多数のタッチ電極（ＴＥ）を順次駆動することができる。
【００６８】
それから、タッチ回路１５０は、タッチ駆動信号が印加されたタッチ電極からタッチセンシング信号を受信する。
【００６９】
タッチ回路１５０は、多数のタッチ電極（ＴＥ）のそれぞれから受信されたタッチセンシング信号に基づいて、タッチの有無やタッチの座標を算出することができる。
【００７０】
ここで、タッチ駆動信号は、一例として、二つ以上の電圧レベルを有するパルス変調信号の波形を有することができる。
【００７１】
多数のタッチ電極（ＴＥ）のそれぞれから受信されたタッチセンシング信号は、当該タッチ電極の周辺で指、ペンなどのポインタによるタッチ発生の有無に応じて変わり得る。
【００７２】
タッチ回路１５０は、タッチセンシング信号に基づいてタッチ電極（ＴＥ）におけるキャパシタンス変化量（または電圧変化量または電荷量の変化）などを見出し、タッチの有無やタッチ座標を得ることができる。
【００７３】
図１を参照すると、多数のタッチ電極（ＴＥ）のそれぞれに、タッチ駆動信号を供給するために、各タッチ電極（ＴＥ）にはタッチセンシングライン（ＳＬ）が連結されている。
【００７４】
また、多数のタッチ電極（ＴＥ）のそれぞれに、タッチ駆動信号を順次供給するために、タッチシステムは、多数のタッチ電極（ＴＥ）のそれぞれに連結されたタッチセンシングライン（ＳＬ）をタッチ回路１５０に順次連結するスイッチ回路１６０をさらに含むことができる。
【００７５】
このようなスイッチ回路１６０は、少なくとも一つのマルチプレクサ（Ｍｕｌｔｉｐｌｅｘｅｒ）から構成されることができる。
【００７６】
一方、図１を参照すると、多数のタッチ電極（ＴＥ）のそれぞれは、ブロック（Ｂｌｏｃｋ）の形態であってもよい。
【００７７】
また、各タッチ電極（ＴＥ）は、一つのサブピクセル（ＳＰ）領域の大きさと同じであってもよく、対応する大きさであってもよい。
【００７８】
これとは別に、各タッチ電極（ＴＥ）は、図１に示すように、サブピクセル（ＳＰ）領域の大きさよりも大きいサイズであってもよい。
【００７９】
すなわち、各タッチ電極（ＴＥ）の領域は、少なくとも２つ以上のサブピクセル（ＳＰ）の領域と対応するサイズを有することができる。
【００８０】
一方、図１を参照すると、前述した多数のタッチ電極（ＴＥ）は、表示パネル１１０に内蔵されて配置されることができる。
【００８１】
このような意味で、表示パネル１１０は、タッチスクリーンまたはタッチスクリーンパネルを内蔵するといえる。すなわち、表示パネル１１０は、イン−セル（Ｉｎ−ｃｅｌｌ）タイプまたはオン−セル（Ｏｎ−ｃｅｌｌ）タイプのタッチスクリーン内蔵型表示パネルであってもよい。
【００８２】
一方、本実施形態に係るタッチスクリーン内蔵型表示装置１００は、ディスプレイ機能を提供するために、ディスプレイモードで動作することもでき、タッチセンシング機能を提供するために、タッチモードで動作することもできる。
【００８３】
これと関連し、多数のタッチ電極（ＴＥ）は、タッチモード区間では、タッチセンサとして動作するが、ディスプレイモード区間では、ディスプレイモード電極として用いられることもできる。
【００８４】
たとえば、ディスプレイモード区間で、多数のタッチ電極（ＴＥ）は、ディスプレイモード電極の一例として、共通電圧（Ｖｃｏｍ）が印加される共通電極として動作することができる。
【００８５】
ここで、共通電圧（Ｖｃｏｍ）は、画素電極に印加される画素電圧と対応する電圧である。
【００８６】
図２は、本実施形態に係るタッチスクリーン内蔵型表示装置１００においてタッチモード時に発生するキャパシタンス成分（Ｃｓｅｌｆ、Ｃｐａｒａｌ、Ｃｐａｒａ２）を示す図である。
【００８７】
図２を参照すると、タッチモードでは、タッチ電極の役割をし、ディスプレイモードでは、画素電極と液晶キャパシタを形成する共通電極（Ｖｃｏｍ電極）の役割をする複数のタッチ電極（ＴＥ）は、タッチモードにおけるタッチの有無およびタッチ座標などを検出するために、指およびペンなどのポインタと自己キャパシタンス（Ｃｓｅｌｆ）を形成する。
【００８８】
一方、共通電極の役割をする複数のタッチ電極（ＴＥ）は、ゲートラインおよびデータラインとも寄生キャパシタンス（Ｃｐａｒａｌ１、Ｃｐａｒａ２）を形成することができるが、自己キャパシタンスに比べて非常に小さく、無視することができる。
【００８９】
以下では、本実施形態に係るタッチスクリーン内蔵型表示装置１００に含まれた表示パネル１１０、共通電極およびタッチ電極の役割をいずれもする複数のタッチ電極（ＴＥ１１〜ＴＥ１４、ＴＥ２１〜ＴＥ２４、ＴＥ３１〜ＴＥ３４）への共通電圧およびタッチ駆動信号の印加方式、データライン（ＤＬ）へのデータ電圧およびタッチ駆動信号（またはこれに対応する信号）の印加方式、ゲートライン（ＧＬ）へのデータ電圧およびタッチ駆動信号（またはこれに対応する信号）の印加方式等について、さらに詳細に説明する。
【００９０】
図３は、本実施形態に係るタッチスクリーン内蔵型表示装置に含まれた表示パネルの平面図である。
【００９１】
図３を参照すると、表示パネル１１０は、前述したように、複数のデータライン（ＤＬ）、複数のゲートライン（ＧＬ）および複数のタッチ電極（ＴＥ１１〜ＴＥ１４、ＴＥ２１〜ＴＥ２４、ＴＥ３１〜ＴＥ３４）が形成されている。
【００９２】
また、このような表示パネル１１０は、前述したように、ディスプレイモードで動作することもでき、タッチモードで動作することもできる。
【００９３】
これに関連し、表示パネル１１０に形成された複数のデータライン（ＤＬ）および複数のゲートライン（ＧＬ）は、表示パネル１１０が画像を表示するパネルの役割をするための構成である。
【００９４】
また、表示パネル１１０に形成された複数のタッチ電極（ＴＥ１１〜ＴＥ１４、ＴＥ２１〜ＴＥ２４、ＴＥ３１〜ＴＥ３４）は、表示パネル１１０が、ディスプレイパネルの役割とタッチスクリーンパネルの役割をする構成である。
【００９５】
さらに詳細に説明すると、表示パネル１１０が、ディスプレイパネルの役割をする場合、すなわち、表示パネル１１０の駆動モードがディスプレイモードの場合、複数の電極（ＴＥ１１〜ＴＥ１４、ＴＥ２１〜ＴＥ２４、ＴＥ３１〜ＴＥ３４）は、共通電圧（Ｖｃｏｍ：Ｃｏｍｍｏｎ  Ｖｏｌｔａｇｅ）が印加され、画素電極（図示しない）と対向する「共通電極（Ｃｏｍｍｏｎ  Ｅｌｅｃｔｒｏｄｅ、または「Ｖｃｏｍ電極」とも呼ばれる）」となる。
【００９６】
また、表示パネル１１０が、タッチスクリーンパネルの役割をする場合、すなわち、表示パネル１１０の駆動モードがタッチモードである場合、複数のタッチ電極（ＴＥ１１〜ＴＥ１４、ＴＥ２１〜ＴＥ２４、ＴＥ３１〜ＴＥ３４）は、タッチ駆動電圧が印加され、タッチポインタ（例えば、指、ペンなど）とキャパシタを形成し、このように形成されたキャパシタのキャパシタンスが測定される「タッチ電極」となる。
【００９７】
すなわち、複数のタッチ電極（ＴＥ１１〜ＴＥ１４、ＴＥ２１〜ＴＥ２４、ＴＥ３１〜ＴＥ３４）は、ディスプレイモードでは、共通電極（Ｖｃｏｍ電極）の役割をし、タッチモードでは、タッチ電極の役割をするものである。
【００９８】
このような複数のタッチ電極（ＴＥ１１〜ＴＥ１４、ＴＥ２１〜ＴＥ２４、ＴＥ３１〜ＴＥ３４）には、ディスプレイモード時、共通電圧（Ｖｃｏｍ）が印加され、タッチモード時、タッチ駆動信号が印加される。
【００９９】
したがって、図３に示すように、複数のタッチ電極（ＴＥ１１〜ＴＥ１４、ＴＥ２１〜ＴＥ２４、ＴＥ３１〜ＴＥ３４）への共通電圧またはタッチ駆動信号を伝達するために、複数のタッチ電極（ＴＥ１１〜ＴＥ１４、ＴＥ２１〜ＴＥ２４、ＴＥ３１〜ＴＥ３４）には、タッチセンシングライン（ＳＬ１１〜ＳＬ１４、ＳＬ２１〜ＳＬ２４、ＳＬ３１〜ＳＬ３４）が連結されることができる。
【０１００】
これにより、タッチモード時、タッチセンシングライン（ＳＬ１１〜ＳＬ１４、ＳＬ２１〜ＳＬ２４、ＳＬ３１〜ＳＬ３４）を介して、タッチ回路１５０とスイッチング回路１６０で生成されたタッチ駆動信号（Ｖｔｄ）が複数のタッチ電極（ＴＥ１１〜ＴＥ１４、ＴＥ２１〜ＴＥ２４、ＴＥ３１〜ＴＥ３４）の全体または一部へ伝達され、ディスプレイモード時、タッチセンシングライン（ＳＬ１１〜ＳＬ１４、ＳＬ２１〜ＳＬ２４、ＳＬ３１〜ＳＬ３４）を介して、共通電圧供給部（図示しない）から供給された共通電圧（Ｖｃｏｍ）が複数のタッチ電極（ＴＥ１１〜ＴＥ１４、ＴＥ２１〜ＴＥ２４、ＴＥ３１〜ＴＥ３４）に印加される。
【０１０１】
図３を参照すると、表示パネル１１０に形成された複数のデータライン（ＤＬ）および複数のゲートライン（ＧＬ）の交差地点ごとに対応して一つのサブピクセル（ＳＰ：Ｓｕｂ  ｐｉｘｅｌ）で画定される。ここで、各サブピクセルは、赤色（Ｒ）のサブピクセル、緑（Ｇ）のサブピクセル、青色（Ｂ）のサブピクセル、白色（Ｗ）のサブピクセルなどのうちのいずれかであってもよい。
【０１０２】
図３を参照すると、共通電極およびタッチ電極の役割をする複数のタッチ電極（ＴＥ１１〜ＴＥ１４、ＴＥ２１〜ＴＥ２４、ＴＥ３１〜ＴＥ３４）のそれぞれが形成される領域には、少なくとも２つ以上のサブピクセル（ＳＰ）が定義されることができる。すなわち、複数のタッチ電極（ＴＥ１１〜ＴＥ１４、ＴＥ２１〜ＴＥ２４、ＴＥ３１〜ＴＥ３４）のうちのいずれかの電極は、二個以上のサブピクセル（ＳＰ）と対応される。
【０１０３】
例えば、共通電極およびタッチ電極の役割をする複数のタッチ電極（ＴＥ１１〜ＴＥ１４、ＴＥ２１〜ＴＥ２４、ＴＥ３１〜ＴＥ３４）のそれぞれが形成された１つの領域（単位タッチ電極領域）には、２４＊３個のデータライン（ＤＬ）と２４個のゲートライン（ＧＬ）が配置され、２４＊３＊２４個のサブピクセル（ＳＰ）が定義されることができる。
【０１０４】
一方、共通電極およびタッチ電極の役割をする複数のタッチ電極（ＴＥ１１〜ＴＥ１４、ＴＥ２１〜ＴＥ２４、ＴＥ３１〜ＴＥ３４）のそれぞれは、図３に示すように、ブロック（Ｂｌｏｃｋ）状のパターンであってもよく、場合によっては、各サブピクセル（ＳＰ）と対応する領域に櫛状のパターンを含むパターンであってもよい。
【０１０５】
共通電極およびタッチ電極の役割をする複数のタッチ電極（ＴＥ１１〜ＴＥ１４、ＴＥ２１〜ＴＥ２４、ＴＥ３１〜ＴＥ３４）のそれぞれが櫛状の部分を含むパターンである場合であっても、本実施形態を適用することができる。
【０１０６】
図４は、本実施形態に係るタッチスクリーン内蔵型表示装置１００が液晶表示装置の場合、表示パネルの断面図を例示的に示す図である。
【０１０７】
図４は、共通電極およびタッチ電極の役割をする複数のタッチ電極（ＴＥ１１〜ＴＥ１４、ＴＥ２１〜ＴＥ２４、ＴＥ３１〜ＴＥ３４）のうちのいずれかの電極が形成された領域に対して示す断面図である。
【０１０８】
図４を参照すると、タッチスクリーン内蔵型表示装置１００に含まれた表示パネル１１０には、一例として、下部基板４００にゲートライン４０２が第１の方向（横方向、図３で左右方向）に形成され、その上にゲート絶縁層（Ｇａｔｅ  Ｉｎｓｕｌａｔｏｒ、４０４）が形成される。
【０１０９】
ゲート絶縁層４０４上にデータライン４０６が第２の方向（縦方向、図３にて地面への垂直方向）に形成され、その上に、第１の保護層４０８が形成される。
【０１１０】
第１の保護層４０８上に、各サブピクセル領域の画素電極４１０と、タッチセンシングライン４１２が形成され、その上に、第２の保護層４１４が形成されることができる。
【０１１１】
ここで、タッチセンシングライン４１２は、共通電極およびタッチ電極の役割をする複数のタッチ電極（ＴＥ１１〜ＴＥ１４、ＴＥ２１〜ＴＥ２４、ＴＥ３１〜ＴＥ３４）のそれぞれからスイッチング回路１６０まで連結され、ディスプレイモードでは、共通電圧供給部で生成された共通電圧（Ｖｃｏｍ）を複数のタッチ電極（ＴＥ１１〜ＴＥ１４、ＴＥ２１〜ＴＥ２４、ＴＥ３１〜ＴＥ３４）へ伝達し、タッチモードでは、タッチ回路１５０、スイッチ回路１６０で生成されたタッチ駆動信号を複数のタッチ電極（ＴＥ１１〜ＴＥ１４、ＴＥ２１〜ＴＥ２４、ＴＥ３１〜ＴＥ３４）へ伝達される。
【０１１２】
第２の保護層４１４上に、共通電極およびタッチ電極の役割をする一つの電極４１６が形成され、その上に、液晶層４１８が形成される。ここで、共通電極およびタッチ電極の役割をする一つの電極４１６は、複数のタッチ電極（ＴＥ１１〜ＴＥ１４、ＴＥ２１〜ＴＥ２４、ＴＥ３１〜ＴＥ３４）のうちの一つとして、ブロック状を有するパターンであってもよい。
【０１１３】
液晶層４１８上に、ブラックマトリクス（Ｂｌａｃｋ  Ｍａｔｒｉｘ、４１９ａ）、カラーフィルタ（Ｃｏｌｏｒ  Ｆｉｌｔｅｒ、４１９ｂ）などが形成される上部基板４２０が位置する。
【０１１４】
図４において、液晶表示装置について説明をしているが、本実施形態は、これに限定されず、タッチパネルと組み合わせ可能な様々な表示装置に適用することができる。
【０１１５】
図５は、本実施形態に係るタッチスクリーン内蔵型表示装置１００に含まれた表示パネルのもう一つの平面図である。
【０１１６】
図５を参照すると、図３は異なり、複数のタッチ電極（ＴＥ１１〜ＴＥ１４、ＴＥ２１〜ＴＥ２４、ＴＥ３１〜ＴＥ３４）のそれぞれに連結され、タッチ駆動信号または共通電圧を伝達するタッチセンシングライン（ＳＬ１１〜ＳＬ１４、ＳＬ２１〜ＳＬ２４、ＳＬ３１〜ＳＬ３４）がゲートライン（ＧＬ）が形成される第２の方向（例えば、横方向）と平行に形成されることもできる。
【０１１７】
このような場合、図１のタッチ回路１５０およびスイッチ回路１６０で生成されたタッチ駆動信号または共通電圧供給部で生成または供給された共通電圧は、ゲートラインと平行に形成されたタッチセンシングライン（ＳＬ１１〜ＳＬ１４、ＳＬ２１〜ＳＬ２４、ＳＬ３１〜ＳＬ３４）を介して、複数のタッチ電極（ＴＥ１１〜ＴＥ１４、ＴＥ２１〜ＴＥ２４、ＴＥ３１〜ＴＥ３４）の全体または一部へ伝達されることができる。
【０１１８】
図６は、タッチスクリーン内蔵型表示装置のサブピクセルの構造を示す図である。
【０１１９】
図６を参照すると、本実施形態に係るタッチスクリーン内蔵型表示装置１００は、赤色（Ｒ）のサブピクセルに、緑色（Ｇ）のサブピクセルおよび青色（Ｂ）のサブピクセルを含むことができる。すなわち、本実施形態に係るタッチスクリーン内蔵型表示装置１００は、表示領域（アクティブ領域）と非表示領域（パッド領域）に区画された基板と、表示領域には、複数のサブピクセルが配置される。本明細書では、表示パネルまたは基板に表示領域と非表示領域に区画されたもので説明することができる。
【０１２０】
また、本実施形態に係るタッチスクリーン内蔵型表示装置は、ＤＲＤ（Ｄｏｕｂｌｅ  Ｒａｔｅ  Ｄｒｉｖｉｎｇ）方式で駆動し、Ｚインバージョン方式で駆動し、データドライバの出力チャンネル数（データライン数）を減らしながら、消費電力を節減する。
【０１２１】
参考までに、ＤＲＤ方式は、（Ｍ＊ｍ／２）個のデータライン（ＤＬ１、...、ＤＬ（Ｍ＊ｍ／２）、ｍは３または４、Ｍはｍが３である場合、偶数であり、ｍが４である場合、自然数、ここでＭは、ＲＧＢまたはＲＧＢＷをサブピクセルとして有する単位ピクセルを意味する）と２ｎ個のゲートラインを利用して、ｍ個のサブピクセルを備えるＭ＊ｎ個のピクセルを駆動する方式であり、データラインの数を減らし、データドライバの出力チャンネル数を減らす技術である。また、Ｚインバージョン駆動は、１フレーム期間の間、隣接するデータラインに互いに異なる極性のデータ電圧を印加しつつも、２列のサブピクセルが１つのデータラインを共有し、ジグザグ状に接続されるようにすることにより、サブピクセルをドットインバージョン方式で駆動しつつも、ラインインバージョン方式で駆動されるようにし、データドライバの消費電力を節減する技術である。本明細書では、Ｍは、赤色（Ｒ）、緑色（Ｇ）および青色（Ｂ）のサブピクセルから構成されたものを中心に説明する。しかし、Ｍは赤色（Ｒ）、緑色（Ｇ）、青色（Ｂ）および白色（Ｗ）のサブピクセルから構成された場合であっても同様に適用することができる。
【０１２２】
本実施形態に係るタッチスクリーン内蔵型表示装置に配置された各サブピクセルの連結構造を見ると、表示パネル内に（Ｍ＊ｍ／２）個のデータライン（ＤＬ１、...、ＤＬ（Ｍ＊ｍ／２））と２ｎ個（ｎは自然数）のゲートラインが交差し、ｍ＊ｎ個のサブピクセルが定義される。
【０１２３】
第１の方向（列方向）に沿ってデータライン（ＤＬ１、ＤＬ２、...、ＤＬ（Ｍ＊ｍ／２））が配置され、第２の方向（行方向）に沿ってゲートライン（ＧＬ１、ＧＬ２、。..、ＧＬ（２ｎ））が配置され、タッチセンシングライン（ＳＬ１、ＳＬ２、...、ＳＬＫ）（kは自然数）は、データライン（ＤＬ１、ＤＬ２、...、ＤＬ（Ｍ＊ｍ／２））と、第１の方向に沿って配置された一つの列に配置されたサブピクセルを間にして交互に配置される。
【０１２４】
また、サブピクセルと重畳するように配置された複数のタッチ電極（ＴＥ１、ＴＥ２、...）を含み、各タッチ電極（ＴＥ１、ＴＥ２、...）は、少なくとも一つ以上のサブピクセルと重畳するように配置される。すなわち、サブピクセルは、少なくとも１個以上の複数のサブピクセルのグループに区分することができ、これらのグループと重畳するようタッチ電極（ＴＥ１、ＴＥ２、...）が配置される。
【０１２５】
各サブピクセルの連結構造を具体的に見ると、２ｎ個のゲートライン（ＧＬ）は、一対ずつ、第２の方向（行方向）のいずれか一つのサブピクセル行（水平ラインに画定）を間に順次配置される。
【０１２６】
したがって、第１水平ライン（Ｈ１）は、第１および第２のゲートライン（ＧＬ１、ＧＬ２）によって定義され、第２の水平ライン（Ｈ２）は、第３および第４ゲートライン（ＧＬ３、ＧＬ４）によって順次定義される。したがって、任意の水平ラインには必ず前端ゲートラインと後端ゲートラインが存在し、前端ゲートラインが任意の奇数番目のラインだとすれば、後端ゲートラインは、偶数番目のラインとなる。すなわち、任意の水平ラインのそれぞれは、奇数番目のゲートラインと偶数番目のゲートラインを有する。
【０１２７】
また、２ｎ個のゲートラインは、奇数番目のゲートラインと偶数番目のゲートラインから構成されたｎ個の水平ラインで画定することができる。
【０１２８】
図６を参照すると、第１水平ライン（Ｈ１）において第１のゲートライン（ＧＬ１）に接続された赤色（Ｒ）のサブピクセルは、第２のゲートライン（ＧＬ２）に接続された緑色（Ｇ）のサブピクセルと隣接して第１データライン（ＤＬ１）に共通に接続される。第１のゲートライン（ＧＬ１）に接続された青色（Ｂ）のサブピクセルは、第２のゲートライン（ＧＬ２）に接続された赤色（Ｒ）のサブピクセルと隣接して第２データライン（ＤＬ２）に共通に接続される。
【０１２９】
また、第１のゲートライン（ＧＬ１）に接続された緑色（Ｇ）のサブピクセルは、第２のゲートライン（ＧＬ２）に接続された青色（Ｂ）のサブピクセルと隣接して第３のデータライン（ＤＬ３）に共通に接続される。
【０１３０】
また、第１のゲートライン（ＧＬ１）に接続された赤色（Ｒ）のサブピクセルは、第２のゲートライン（ＧＬ２）に接続された緑色（Ｇ）のサブピクセルと隣接して第４のデータライン（ＤＬ４）に共通に接続される。
【０１３１】
また、第１のゲートライン（ＧＬ１）に接続された青色（Ｂ）のサブピクセルは、第２のゲートライン（ＧＬ２）に接続された赤色（Ｒ）のサブピクセルと隣接して第５のデータライン（ＤＬ５）に共通して接続される。
【０１３２】
第２の水平ライン（Ｈ２）もやはり、第１の水平ラインと同様の方式で第３のゲートライン（ＧＬ３）と第４のゲートライン（ＧＬ４）にそれぞれのサブピクセルが交互に接続され、かつデータライン（ＤＬ）を共有する。
【０１３３】
纏めとして、それぞれのデータライン（Ｄ１、Ｄ２、Ｄ３、...、ＤＬ（ｍ／２））は、左側のサブピクセルと右側のサブピクセルを共有する構造に連結されており、共有データラインのそれぞれを間にして隣接する２個のサブピクセルが駆動されることができる。一例として、第１ないし第Ｍ＊ｍ／２データライン（Ｄ１、Ｄ２、Ｄ３、...、ＤＬ（Ｍ＊ｍ／２））は、それぞれ左側サブピクセルから右側のサブピクセルの順にサブピクセルが駆動されることができる。この方式をＤＲＤ構造表示装置でＺＺＺ駆動方式と称する。
【０１３４】
本実施形態に係るタッチスクリーン内蔵型表示装置を駆動するとき、フリッカ（ｆｌｉｃｋｅｒ）を最小化するとともに、消費電力を減らすために、垂直２ドットインバージョン（Ｖｅｒｔｉｃａｌ２  ｄｏｔ  ｉｎｖｅｒｓｉｏｎ）方式で駆動する場合、以下の通りである。
【０１３５】
このような、ドットインバージョン方式でタッチスクリーン内蔵型表示装置を駆動すると、液晶の両端（共通電極（タッチ電極）と画素電極）に直流電圧が印加されると、液晶は分極される。この状態が続く場合、液晶内のイオン性不純物が電気場によって固着し、プレチルト（Ｐｒｅ−ｔｉｌｔ）を変化させることによって残像が発生するなど、液晶の特性を弱化させる。その状態が続く場合、結局は液晶としての特性が失われてしまい、表示装置としての役割ができなくなる。これを防止するために、分極状態を周期的に反転させることによって、イオン性不純物が固着することを防ぐことができるが、ドットインバージョンの方法で表示装置を駆動する場合、分極状態を反転させることができる。
【０１３６】
すなわち、液晶の分極は、両端間の電位差によって、相対的に正（＋）の値と、負（−）の値が存在し、これにより、分極されるため、システムから供給される直流電源を利用して、周期的に相対値を反転させることによって液晶には、交流電源が供給されたのと同じ分極反転の効果がみられる。
【０１３７】
図６に示すように、垂直２ドットインバージョンは、隣接する二つのゲートライン（ＧＬ１／ＧＬ２、ＧＬ３／ＧＬ４、...ＧＬ（（２ｎ）-１）／ＧＬ（２ｎ））毎に極性を反転させるとともに、データライン（ＤＬ）１ラインずつ極性を反転させ、その状態をフレーム毎に反転駆動する。
【０１３８】
したがって、図６において第１のデータライン（ＤＬ１）の第１の水平ライン（Ｈ１）に配置されている赤色（Ｒ）のサブピクセルと緑色(Ｇ)のサブピクセルは陽（＋）の値を有し、第１のデータライン（ＤＬ１）の第２の水平ライン（Ｈ２）に配置されている赤色（Ｒ）のサブピクセルと緑色(Ｇ)のサブピクセルは負(−)の値を有する反転駆動をする。
【０１３９】
このように、本実施形態に係るＤＲＤ構造を有するタッチスクリーン内蔵型表示装置は、一つのデータラインに２個のサブピクセルが共有するため、ｍ個のサブピクセルを備えるＭ＊ｎ個のピクセルに信号を供給することができるが、データライン（ＤＬ）は、半分に減らすことができる。
【０１４０】
また、本実施形態にもう一つのＤＲＤ構造を有するタッチスクリーン内蔵型表示装置は、ドットインバージョン方式のＺＺＺ駆動をすることによって、分極状態を反転させて残像不良を改善することができる。
【０１４１】
しかし、ＤＲＤ構造をタッチスクリーン内蔵型表示装置に適用した場合、以下のようにタッチ電極の境界において、タッチセンシングラインが重畳することによって、タッチ電極とタッチセンシングライン間の寄生キャパシタンスの差により二つのタッチ電極間の輝度差が発生するという問題がある。
【０１４２】
図７を参照すると、図７は、タッチスクリーン内蔵型表示装置に配置されたタッチ電極間に配置されたタッチセンシングラインが位置する場合の図である。
【０１４３】
図６のタッチスクリーン内蔵型表示装置は、タッチ電極がブロック状に配置されており、データライン（ＤＬ）とタッチセンシングライン（ＳＬ）が一つのサブピクセルの列を間にして交互に配置されている。したがって、第１のタッチ電極（ＴＥ１）と第２のタッチ電極（ＴＥ２）との間（境界）にタッチセンシングライン（ＳＬ３）が配置され、タッチセンシングライン（ＳＬ３）は、隣接する第１のタッチ電極（ＴＥ１）と第２のタッチ電極（ＴＥ２）に所定の領域が互いに重畳する。
【０１４４】
しかし、第１のタッチ電極（ＴＥ１）および第２のタッチ電極（ＴＥ２）とタッチセンシングライン（ＳＬ３）の形成層が互いに異なるため（例えば、タッチ電極とタッチセンシングラインは少なくとも一つ以上の絶縁層を間にして形成される）、第１のタッチ電極（ＴＥ１）とタッチセンシングライン（ＳＬ３）の重畳面積と第２のタッチ電極（ＴＥ２）とタッチセンシングライン（ＳＬ３）の重畳面積が互いに異なるため、輝度差が発生する。
【０１４５】
図７に示すように、第１のタッチ電極（ＴＥ１）とタッチセンシングライン（ＳＬ３）の重畳による第１の寄生キャパシタンス（ＣＳ１）と第２のタッチ電極（ＴＥ２）とタッチセンシングライン（ＳＬ３）の重畳による第２の寄生キャパシタンス（ＣＳ２）が互いに異なり、第１のタッチ電極（ＴＥ１）の第１のキャパシタンス（Ｃｔ１）と第２のタッチ電極（ＴＥ２）の第２のキャパシタンス（Ｃｔ２）が異なる。
【０１４６】
このように、第１および第２のタッチ電極（ＴＥ１、ＴＥ２）のキャパシタンスが互いに異なれば、タッチ電極間の輝度差が発生してムラ不良を引き起こす。
【０１４７】
本実施形態に係るタッチスクリーン内蔵型表示装置は、ダミーサブピクセルをさらに配置し、タッチ電極をシフトさせて、タッチ電極の境界にタッチセンシングラインが位置しないようにして、タッチ電極間の輝度不良を根本的に防止するようにした。
【０１４８】
図８は、本実施形態に係るタッチスクリーン内蔵型表示装置のサブピクセルの構造を示す図である。
【０１４９】
図８を参照すると、本実施形態に係るタッチスクリーン内蔵型表示装置は、赤色（Ｒ）のサブピクセル、緑色（Ｇ）のサブピクセル、青色（Ｂ）のサブピクセル、第１のダミーサブピクセルに（Ｄ１）および第２のダミーサブピクセル（Ｄ２）を含むことができる。
【０１５０】
本実施形態に係るタッチスクリーン内蔵型表示装置は、第１の方向（列方向）に配置された（Ｍ＊ｍ／２）＋１個のデータライン（ＤＬ１、ＤＬ２、...、ＤＬ（Ｍ＊ｍ／２）、ＤＬ（（Ｍ＊ｍ／２）＋１）、ｍは３または４、Ｍはｍが３である場合、偶数であり、ｍが４である場合、自然数）と第２の方向（行方向）に配置されたゲートライン（ＧＬ１、ＧＬ２、...、ＧＬ（２ｎ））がサブピクセルを定義し、第１の方向（列方向）に沿って（Ｍ＊ｍ／２）＋１個のデータライン（ＤＬ１、ＤＬ２、...、ＤＬ（Ｍ＊ｍ／２）、ＤＬ（（Ｍ＊ｍ／２）＋１）と交互にサブピクセルを間にしてタッチセンシングライン（ＳＬ１、ＳＬ２、...、ＳＬＫ）が交互に配置される
【０１５１】
表示パネルの両側端、すなわち第１番目のデータライン（ＤＬ１）の左側と第（Ｍ＊ｍ／２）＋１番目のデータライン（ＤＬ（Ｍ＊ｍ／２）＋１）の右側には、第１の方向（列方向）に沿って、第１のダミーサブピクセルの（Ｄ１）と第２のダミーサブピクセルの（Ｄ２）が配置される。第１および第２のダミーサブピクセルの（Ｄ１、Ｄ２）は、２ｎ個のゲートライン（ＧＬ）の一対のゲートラインによって定義される水平ラインに配置されるため、第１のダミーサブピクセル（Ｄ１）と第２のダミーサブピクセル（Ｄ２）は、それぞれｎ個ずつ配置され、計ダミーサブピクセルの個数は、２ｎ個となる。
【０１５２】
したがって、表示パネルに具現されるサブピクセルの個数は、ｍ＊ｎ個に２ｎ個のダミーサブピクセルの和となる。
【０１５３】
また、表示パネルには、複数のサブピクセルと対応するように、タッチ電極（ＴＥ１、ＴＥ２、...、ＴＥl）がブロック状に配置されている。
【０１５４】
各サブピクセルの連結構造をみると、第１の水平ライン（Ｈ１）は、第１のゲートライン（ＧＬ１）と第２のゲートライン（ＧＬ２）によって定義されるが、第１番目のデータライン（ＤＬ１）の左側には、第１のダミーサブピクセル（Ｄ１）が配置され、第１のデータライン（ＤＬ１）の右側には、赤色（Ｒ）のサブピクセルが配置される。
【０１５５】
第１のデータライン（ＤＬ１）の右側に配置される赤色（Ｒ）のサブピクセルは、第２のゲートライン（ＧＬ２）に接続され、第１のダミーサブピクセル（Ｄ１）と赤色（Ｒ）のサブピクセルは、第１のデータライン（ＤＬ１）を共有する。しかし、第２のダミーサブピクセル（Ｄ１）は、第１のゲートライン（ＧＬ１）と第１のデータライン（ＤＬ１）と電気的に分離された構造に配置され、隣接する赤色（Ｒ）のサブピクセルのみ第１のデータライン（ＤＬ１）と第２のゲートライン（ＧＬ２）に接続される。
【０１５６】
また、第２のデータライン（ＤＬ１）は、緑色（Ｇ）のサブピクセルと青色（Ｂ）のサブピクセルが左右側に隣接して配置されるが、緑色（Ｇ）のサブピクセルは、第１のゲートライン（ＧＬ１）に接続され、青色（Ｂ）のサブピクセルは、第２のゲートライン（ＧＬ２）に接続される。
【０１５７】
また、第３のデータライン（ＤＬ３）に共通に接続された赤色（Ｒ）のサブピクセルと緑色（Ｇ）のサブピクセルは、第２のゲートライン（ＧＬ２）と第１のゲートライン（ＧＬ１）にそれぞれ接続される。
【０１５８】
また、第４のデータライン（ＤＬ４）に共通に接続された青色（Ｂ）のサブピクセルと赤色（Ｒ）のサブピクセルは、第１のゲートライン（ＧＬ１）と第２のゲートライン（ＧＬ２）にそれぞれ接続される。
【０１５９】
また、第５のデータライン（ＤＬ５）に共通に接続された緑色（Ｇ）のサブピクセルと青色（Ｂ）のサブピクセルは、第１のゲートライン（ＧＬ１）と第２のゲートライン（ＧＬ２）にそれぞれ接続される。
【０１６０】
また、第（Ｍ＊ｍ／２）＋１番目のデータライン（ＤＬ（Ｍ＊ｍ／２）＋１）の左側には、青色（Ｂ）のサブピクセルが第１のゲートライン（ＧＬ１）と接続され、第（Ｍ＊ｍ／２）＋１番目のデータライン（（Ｍ＊ｍ／２）＋１）の右側には、第２のダミーサブピクセル（Ｄ２）が配置される。第２のダミーサブピクセル（Ｄ２）は、第１または第２のゲートライン（ＧＬ１、ＧＬ２）および第（ｄ／２）＋１個のデータライン（ＤＬ（ｍ／２）＋１）と電気的に接続されない。すなわち、本実施形態では、サブピクセルのｎ行と対応する各水平ラインには、（Ｍ＊ｍ／２）−１個のデータラインが一対のサブピクセルを共有するように配置される。すなわち、各水平ラインに配置されるデータラインの中、左右側端に配置される第１番目のデータライン（ＤＬ１）と第（Ｍ＊ｍ／２）＋１番目のデータライン（ＤＬ（Ｍ＊ｍ／２）＋１）を除き、一つのデータラインを一対のサブピクセルが共有する。
【０１６１】
第２の水平ライン（Ｈ２）もやはり、第１の水平ラインと同様の方式で第３のゲートライン（ＧＬ３）と第４のゲートライン（ＧＬ４）にそれぞれのサブピクセルが交互に接続され、かつデータライン（ＤＬ）を共有する。
【０１６２】
また、本実施形態に係るタッチスクリーン内蔵型表示装置は、複数のタッチ電極（ＴＥ１、ＴＥ２、...、ＴＥl）（ｌは自然数）が配置される第１のタッチ電極（ＴＥ１）を見ると、左側端で第１のダミーサブピクセル（Ｄ１）の一部と重畳し、第１のタッチ電極（ＴＥ１）と第２のタッチ電極（ＴＥ２）との間に第４のデータライン（ＤＬ４）が位置し、タッチセンシングライン（ＳＬ）は位置しない。
【０１６３】
すなわち、本実施形態では、第１および第２のダミーサブピクセル（Ｄ１、Ｄ２）を配置して表示パネルに配置されるタッチ電極（ＴＥ）をシフト（Ｓｈｉｆｔ）させて、タッチ電極（ＴＥ）の境界にタッチセンシングライン（ＳＬ）が位置しないようにすることによって、タッチ電極（ＴＥ）とタッチセンシングライン（ＳＬ）との間の寄生キャパシタンスの差が発生しないようにした。
【０１６４】
このように、タッチ電極（ＴＥ）間に寄生キャパシタンスの差が発生しないようにすると、タッチ電極間に発生する輝度ムラを根本的に防止することができる。
【０１６５】
また、本発明のタッチスクリーン内蔵型表示装置に配置されたそれぞれのサブピクセルの連結構造を図８で説明したように、変更すると、第１および第２の水平ライン（Ｈ１、Ｈ２）のサブピクセルがドットインバージョン方式のＺＺ逆Ｚ（Ｓ）駆動を行うことができる。
【０１６６】
すなわち、本実施形態では、各水平ラインに配置されるサブピクセルがデータラインを中心に左側から右側方向または右から左側方向への駆動が混在する。
【０１６７】
これは、後述するが、水平ライン（横方向）に沿って発生する横線不良を改善するために、各水平ラインに配置されるサブピクセルは、奇数番目のゲートラインに緑色（Ｇ）のサブピクセル（弱充電サブピクセル）が接続されるようにし、偶数番目のゲートラインに赤色（Ｒ）のサブピクセル（強充電サブピクセル）が接続されるようにする。
【０１６８】
また、青色（Ｂ）のサブピクセルは、奇数番目のゲートライン（弱充電サブピクセル）と偶数番目のゲートラインに交互に接続されるようにする。ここで、強充電サブピクセルと、弱充電サブピクセルは、図１０および図１１にて具体的に説明する。
【０１６９】
したがって、本実施形態に係るタッチスクリーン内蔵型表示装置は、ＺＺ逆Ｚ（Ｓ）駆動を具現することができる。
【０１７０】
さらに具体的にみると、第１の水平ライン（Ｈ１）の第１のデータライン（ＤＬ１）に配置された第１のダミーサブピクセル（Ｄ１）と赤色（Ｒ）のサブピクセルは左側から右側の方向へ駆動をし（実際の第１のダミーサブピクセルは、動作しない）、第２の水平ライン（Ｈ２）の第１のデータライン（ＤＬ１）に配置された第１のダミーサブピクセル（Ｄ１）と赤色（Ｒ）のサブピクセルも左側から右側方向へ駆動する（実際の第１のダミーサブピクセルは、動作しない）（Ｚ方向駆動）。
【０１７１】
次に、第１の水平ライン（Ｈ１）と第２の水平ライン（Ｈ２）において第２のデータライン（ＤＬ２）に共通に接続された緑色（Ｇ）のサブピクセルと青色（Ｂ）のサブピクセルは、左側から右側の方向へ駆動する（Ｚ方向駆動）。
【０１７２】
次に、第１の水平ライン（Ｈ１）と第２の水平ライン（Ｈ２）で第３のデータライン（ＤＬ３）に共通に接続された赤色（Ｒ）のサブピクセルと緑色（Ｇ）のサブピクセルは、右側から左側方向へ駆動する（逆Ｚ（Ｓ）方向駆動）。
【０１７３】
このように、本実施形態に別のＤＲＤ構造を有するタッチスクリーン内蔵型表示装置は、ドットインバージョン方式のＺＺ逆Ｚ（Ｓ）駆動をすることによって、分極状態を反転させて残像不良を改善することができる。
【０１７４】
また、ＤＲＤ構造を有する表示装置は、構造的に一つのデータラインに共通に接続される一対のサブピクセルは、強充電と弱充電となるが、強充電されたサブピクセルに同じ色が繰り返されると横線不良が発生する。
【０１７５】
本実施形態では、横線不良を改善するために透過率の低い青色（Ｂ）のサブピクセルが横方向（Ｈ１、Ｈ２、...）に沿って強充電サブピクセルと弱充電サブピクセルに交互に配置されるようすることによって、横線不良を防止した。これと関連しては図１０および図１１にて、さらに詳細に説明する。
【０１７６】
特に、本実施形態のタッチスクリーン内蔵型表示装置は、第１および第２のダミーサブピクセルを配置し、タッチ電極をシフトさせることにより、タッチ電極の境界にタッチセンシングライン（ＳＬ）が位置しないようにした。
【０１７７】
図８を参照すると、タッチ電極は、基本的に赤色（Ｒ）、緑色（Ｇ）および青色（Ｂ）のサブピクセルとは重畳するように配置されるが、第１および第２のダミーサブピクセル（Ｄ１、Ｄ２）とは、一部の領域でのみ重畳するように配置される。すなわち、第１および第２のダミーサブピクセル（Ｄ１、Ｄ２）とタッチ電極（ＴＥ）を一部の領域でのみ重畳するようにすることにより、隣接するタッチ電極をシフトさせ、結果的にタッチ電極の境界にタッチセンシングラインが位置しないようにする。
【０１７８】
したがって、タッチ電極の境界領域においてタッチ電極とタッチセンシングライン（ＳＬ）が重畳しないようにすることによって、タッチセンシングラインとタッチ電極間の寄生キャパシタンスの発生を根本的に遮断して輝度ムラを改善した。
【０１７９】
図９は、本実施形態に係るタッチスクリーン内蔵型表示装置に配置されたタッチ電極間の領域を示す図である。
【０１８０】
図９を参照すると、図８にて第１のタッチ電極（ＴＥ１）と第２のタッチ電極（ＴＥ２）の境界にタッチセンシングラインが位置せず、第４のデータライン（ＤＬ４）にのみ位置することが見られる。
【０１８１】
本実施形態では、第４のデータライン（ＤＬ４）と交互に配置される第３のタッチセンシングライン（ＳＬ３）と第４のタッチセンシングライン（ＳＬ４）は、それぞれ第１のタッチ電極（ＴＥ１）と第２のタッチ電極（ＴＥ２）内に位置し、タッチセンシングラインと第１のタッチ電極（ＴＥ１）および第２のタッチ電極（ＴＥ２）間の重畳領域の差が発生しない。
【０１８２】
これは、図８にて説明したように、本実施形態では、表示パネルの左側と右側端に第１の方向（列方向）により第１のダミーサブピクセルの（Ｄ１）と第２のダミーサブピクセル（Ｄ２）をそれぞれ配置し、これらと重畳するタッチ電極の重畳領域を調節した。
【０１８３】
したがって、第１のダミーサブピクセル（Ｄ１）と第２のダミーサブピクセル（Ｄ２）との間に配置されるタッチ電極の位置をシフトさせることができ（第２の方向（行方向））、タッチ電極（ＴＥ）の境界にタッチセンシングライン（ＳＬ）が位置しないようにした。
【０１８４】
すなわち、本実施形態に係るタッチスクリーン内蔵型表示装置は、タッチ電極間にデータラインにのみ配置され、タッチセンシングライン（ＳＬ）は、いずれもタッチ電極と重畳するように配置される。したがって、タッチ電極間には、データライン（ＤＬ）が配置され、データライン（ＤＬ）を共有するトランジスタは、両側（左側と右側方向）方向のサブピクセルとそれぞれ接触する。
【０１８５】
これにより、本実施形態に係るタッチスクリーン内蔵型表示装置は、タッチ電極と対応する領域別の輝度ムラを防止した。
【０１８６】
図１０および図１１は、本実施形態に係るサブピクセルにおいて充電が異なる原理を説明するための図である。
【０１８７】
図１０および図１１を参照すると、データラインの数を減らすためのＤＲＤ構造は、構造的に２個のサブピクセルが一つのデータライン（ＤＬ）を共有する。図１０に示すように、データライン（ＤＬ）を中心に左側には、赤色（Ｒ）のサブピクセルが配置され、右側には緑色（Ｇ）のサブピクセルが配置される。
【０１８８】
赤色（Ｒ）のサブピクセルは、第１のゲートライン（ＧＬ１）とデータライン（ＤＬ）に接続され、緑色（Ｇ）のサブピクセルは、第２のゲートライン（ＧＬ２）とデータライン（ＤＬ）に接続される。このような連結構造でデータライン（ＤＬ）を介してデータ信号が供給されると、図１１に示すように、赤色（Ｒ）のサブピクセルよりも緑色（Ｇ）のサブピクセルで強充電される。
【０１８９】
ＤＲＤ構造を有する表示パネルは、２ｎ個のゲートラインが順次配置され、一対のゲートラインが一つの水平ラインを定義するが、各水平ラインには、必ず奇数番目のゲートラインと偶数番目のゲートライン（任意のｎ＋１回目）を含む。すなわち、各水平ラインに配置される一対のゲートラインは、奇数番目のゲートラインで偶数番目のゲートラインに順次ゲート信号（スキャン信号）が供給される。
【０１９０】
さらに具体的には、図１１を参照すると、第１のゲートライン（ＧＬ１）を介して供給されるゲート信号（奇数番目（前端）スキャン信号）と第２のゲートライン（ＧＬ２）を介して供給されるゲート信号（偶数番目（後端）スキャン信号）が、一部重畳するが、第１のゲートライン（ＧＬ１）に連結された赤色（Ｒ）のサブピクセルは、フリーチャージング（Ｐｒｅ−ｃｈａｒｇｉｎｇ）区間がないため、データ電圧（Ｄａｔａ）が弱充電される。すなわち、奇数番目のゲートライン（ＧＬ１）に接続されるサブピクセルは、弱充電サブピクセルとなる
【０１９１】
これに対し、第２のゲートライン（ＧＬ２）を介して供給されるデータ電圧（Ｄａｔａ）は、ゲート信号の重畳区間でフリーチャージング（Ｐｒｅ−ｃｈａｒｇｉｎｇ）された後、緑色（Ｇ）のサブピクセルにデータ電圧（Ｄａｔａ）が充電されるため、強充電される。すなわち、偶数番目のゲートライン（ＧＬ２）に接続されるサブピクセルは、強充電サブピクセルとなる。
【０１９２】
このように、一対のサブピクセルが一つのデータラインを共有するＤＲＤ構造では、強充電サブピクセルと、弱充電サブピクセルが必ず存在するが、このような充電程度の差は輝度の差を発生させる。
【０１９３】
したがって、視感的に認知しやすいカラーが強充電サブピクセルと、弱充電サブピクセルに配置されると、輝度差により画質不良として認識される問題がある。
【０１９４】
本実施形態では、透過率の低い青色（Ｂ）のサブピクセルが強充電のサブピクセルと弱充電サブピクセルに交互に配置されるようすることにより、横線不良を防止するようにした。
【０１９５】
図８を参照すると、第１の水平ライン（Ｈ１）と第２の水平ライン（Ｈ２）に沿って、第１のダミーサブピクセル（Ｄ１）／赤色（Ｒ）のサブピクセル、緑色（Ｇ）のサブピクセル／青色（Ｂ）のサブピクセル、赤色（Ｒ）のサブピクセル／緑色（Ｇ）のサブピクセル、青色（Ｂ）のサブピクセル／赤色（Ｒ）のサブピクセル、緑色（Ｇ）のサブピクセル／青色（Ｂ）のサブピクセル、赤色（Ｒ）のサブピクセル／緑色（Ｇ）のサブピクセルの順に配置されている。
【０１９６】
図１０および図１１の原理に基づいて強充電サブピクセルと弱充電サブピクセルとを区分すると、青色（Ｂ）のサブピクセルは、第１および第２の水平ライン（Ｈ１、Ｈ２）方向に沿って、強充電サブピクセル／弱充電サブピクセル／強充電サブピクセル／弱充電サブピクセルの順に配置されたことを見ることができる。
【０１９７】
すなわち、本実施形態の表示パネルにおいて水平ラインに配置される青色（Ｂ）のサブピクセルは、水平ラインを定義する奇数番目のゲートラインと偶数番目のゲートラインに交互に接続される。
【０１９８】
また、赤色（Ｒ）のサブピクセルは、第１および第２の水平ライン（Ｈ１、Ｈ２）方向に沿って強充電サブピクセルと対応するサブピクセルを配置した。
【０１９９】
すなわち、本実施形態の表示パネルにおいて水平ラインに配置される赤色（Ｒ）のサブピクセルは、水平ラインを定義するゲートラインのうち、偶数番目のゲートラインと接続される。
【０２００】
また、輝度差による視感の敏感度が最も大きい緑色（Ｇ）のサブピクセルは、弱充電サブピクセルと対応するサブピクセルに配置した。
【０２０１】
すなわち、本実施形態の表示パネルにおいて水平ラインに配置される緑色（Ｇ）のサブピクセルは、水平ラインを定義するゲートラインのうち、奇数番目のゲートラインと接続される。
【０２０２】
したがって、本実施形態に係るＤＲＤ構造のタッチスクリーン内蔵型表示装置は、強充電サブピクセルと弱充電サブピクセルに対応するカラーを調節することによって、横方向に沿って発生する横線不良を改善した効果がある。
【０２０３】
図１２は、本実施形態に係るタッチスクリーン内蔵型表示装置の駆動方式と各サブピクセルのカラーの関係を説明するための図であり、図１３は、本実施形態に係るタッチスクリーン内蔵型表示装置において横線不良が除去される原理を説明するための図である。
【０２０４】
図１２および図１３を参照すると、本実施形態に係るタッチスクリーン内蔵型表示装置は、図８で説明したように、第１および第２の水平ライン（Ｈ１、Ｈ２、...）の方向に沿って第１のダミーサブピクセル／赤色（Ｒ）のサブピクセル、緑色（Ｇ）のサブピクセル／青色（Ｂ）のサブピクセル、緑色（Ｇ）のサブピクセル／赤色（Ｒ）のサブピクセル、青色（Ｂ）のサブピクセル／赤色（Ｒ）のサブピクセル、緑色（Ｇ）のサブピクセル／青色（Ｂ）のサブピクセル、緑色（Ｇ）のサブピクセル／赤色（Ｒ）のサブピクセル、青色（Ｂ）のサブピクセル／赤色（Ｒ）のサブピクセル、...、青色（Ｂ）のサブピクセル／赤色（Ｒ）のサブピクセル、緑色（Ｇ）のサブピクセル／青色（Ｂ）のサブピクセル、緑色（Ｇ）のサブピクセル／赤色（Ｒ）のサブピクセル、青色（Ｂ）のサブピクセル／第２のダミーサブピクセル（Ｄ２）に配置される。
【０２０５】
すなわち、本実施形態に係るタッチスクリーン内蔵型表示装置は、水平ライン（Ｈ１、Ｈ２、...）の方向に沿って赤色（Ｒ）のサブピクセルは、強充電サブピクセルに対応し、緑色（Ｇ）のサブピクセルは弱充電サブピクセルに対応する。また、横線不良を改善するために、青色（Ｂ）のサブピクセルは、強充電サブピクセルと、弱充電サブピクセルと対応するように交互に配置する。
【０２０６】
前述した本実施形態に係る赤色（Ｒ）、緑色（Ｇ）および青色（Ｂ）のサブピクセルの配列構造は、ドットインバージョンＺＺｈ逆Ｚ（Ｓ）駆動を行いながら、タッチ電極（ＴＥ）の境界にタッチセンシングライン（ＳＬ）が位置しないようにすることができ、輝度ムラ不良を防止することができる。
【０２０７】
図１２に示すように、表示パネルの第１の水平ライン（Ｈ１）と第２の水平ライン（Ｈ２）に沿って駆動方向を見ると、次の通りである。第１のデータライン（ＤＬ１）に配置された第１のダミーサブピクセル（Ｄ１）と赤色（Ｒ）のサブピクセルは、左側から右側方向へ駆動をし（実際の第１のダミーサブピクセルには、信号の供給がされない）、第２の水平ライン（Ｈ２）の第１のデータライン（ＤＬ１）に配置された第１のダミーサブピクセル（Ｄ１）と赤色（Ｒ）のサブピクセルも左側から右側方向へ駆動する（実際の第１のダミーサブピクセルには、信号が供給されない）（Ｚ方向駆動）。
【０２０８】
図１０および図１１にて説明したように、第１および第２のゲートライン（ＧＬ１、ＧＬ２）に供給されるゲート信号によって、第１のデータライン（ＤＬ１）に接続された赤色（Ｒ）のサブピクセルは、強充電サブピクセルとなる。
【０２０９】
次に、第２のデータライン（ＤＬ２）に共通に接続された緑色（Ｇ）のサブピクセルと青色（Ｂ）のサブピクセルは、左側から右側方向へ駆動するため、緑色（Ｇ）のサブピクセルは、弱充電サブピクセルとなり、青色（Ｂ）のサブピクセルは、強充電サブピクセルとなる。
【０２１０】
次に、第３のデータライン（ＤＬ３）に共通に接続された赤色（Ｒ）のサブピクセルと緑色（Ｇ）のサブピクセルは、右側から左側方向へ駆動するため、赤色（Ｒ）のサブピクセルは、弱充電サブピクセルとなり、緑色（Ｇ）のサブピクセルは、弱充電サブピクセルとなる。
【０２１１】
このように、本実施形態に別のＤＲＤ構造を有するタッチスクリーン内蔵型表示装置は、第１および第２の水平ライン（Ｈ１、Ｈ２、...）の方向に沿ってＺＺ逆Ｚ（Ｓ）駆動を繰り返すため、分極状態を反転させて残像不良を改善することができる。
【０２１２】
また、本実施形態に係るタッチスクリーン内蔵型表示装置は、第１および第２の水平ライン（Ｈ１、Ｈ２、...）の方向に沿って赤色（Ｒ）のサブピクセルはすべて強充電サブピクセルに対応し、緑色（Ｇ）のサブピクセルはすべて弱充電サブピクセルに対応し、青色（Ｂ）のサブピクセルは強充電サブピクセルと弱充電サブピクセルに交互に対応するようにして横線不良を改善した。
【０２１３】
図１４は、本実施形態に係るタッチスクリーン内蔵型表示装置の駆動方法を示す図である。
【０２１４】
図１４を参照すると、本実施形態に係るタッチスクリーン内蔵型表示装置の駆動方法は、表示領域を備える基板、表示領域内に備えられるｍ個のサブピクセルを備えるＭ＊ｎ個のピクセル（ｍは３または４、Ｍはｍが３である場合、偶数であり、ｍが４である場合、自然数）、基板上に（Ｍ＊ｍ／２）＋１個のデータライン、基板上に前記データラインと交差する２ｎ個（ｎは自然数）のゲートラインおよび基板上に複数のタッチ電極を含む表示パネルを提供するステップを含む（Ｓ１４０１）。
【０２１５】
上記表示パネルは、図８にて説明したＤＲＤ構造を有し、サブピクセル、第１および第２のダミーサブピクセルと対応するように配置された複数のタッチ電極と複数のタッチ電極にタッチ駆動信号を供給するために、データラインとサブピクセルを間にして交互に配置された複数のタッチセンシングラインを含む。
【０２１６】
また、本実施形態に係るタッチスクリーン内蔵型表示装置の駆動方法は、表示パネルの水平ライン方向に配置されたサブピクセルをデータラインを基準に左側から右側方向または右側から左側方向への駆動を混在して駆動するステップを含む（Ｓ１４０２）。
【０２１７】
水平ラインは、２ｎ個のゲートラインで奇数番目のゲートラインと偶数番目のゲートラインからなる一対のゲートラインで画定され、それぞれのデータラインには、左側と右側にそれぞれサブピクセルが配置される。
【０２１８】
特に、本実施形態に係るタッチスクリーン内蔵型表示装置は、各水平ラインに配置された赤色（Ｒ）、緑色（Ｇ）および青色（Ｂ）のサブピクセルが、前述した混在駆動を具現する時に、第１および第２のダミーサブピクセル（Ｄ１、Ｄ２）は、データ電圧が供給されない。すなわち、第１および第２のダミーサブピクセルの（Ｄ１、Ｄ２）は、実際に動作しない。
【０２１９】
このように、本実施形態に係るタッチスクリーン内蔵型表示装置およびその駆動方法は、表示パネルに第１および第２のダミーサブピクセルを配置し、タッチ電極をシフトさせることにより、タッチ電極の境界にタッチセンシングライン（ＳＬ）が位置しないようにし、タッチ電極間のキャパシタンスの差が発生しないようにした効果がある。
【０２２０】
また、本実施形態に係るタッチスクリーン内蔵型表示装置およびその駆動方法は、ＤＲＤ（Ｄｏｕｂｌｅ  Ｒａｔｅ  Ｄｒｉｖｉｎｇ）方式で駆動し、Ｚインバージョンと逆Ｚ（Ｓ）インバージョンの混在方式で駆動して、データドライバの出力チャンネル数（データライン数）を減らしながら、消費電力を節減した効果がある。
【０２２１】
また、本実施形態に係るタッチスクリーン内蔵型表示装置およびその駆動方法は、表示パネルに配置されるサブピクセルのうち、強充電サブピクセルと弱充電サブピクセルに対応するカラーを調節することによって、横方向に沿って発生する横線不良を改善した効果がある。
【０２２２】
以上の説明および添付の図面は、本発明の技術思想を例示的に示したものに過ぎないものであって、本発明が属する技術分野で通常の知識を有する者であれば、本発明の本質的な特性から逸脱しない範囲で構成の組み合わせ、分離、置換および変更などの様々な修正および変形が可能である。したがって、本発明に開示された実施形態は、本発明の技術思想を限定するためのものではなく説明するためのものであり、このような実施形態により、本発明の技術思想の範囲が限定されるものではない。本発明の保護範囲は、以下の請求の範囲によって解釈されるべきであり、それと同等の範囲内にあるすべての技術思想は、本発明の権利範囲に含まれるものと解釈されるべきである。
【符号の説明】
【０２２３】
１００：表示装置
１１０：表示パネル
１２０：データドライバ
１３０：ゲートドライバ
１４０：コントローラ
１５０：タッチ回路
【図１】
2018060156.tif 000003
【図２】
2018060156.tif 000004
【図３】
2018060156.tif 000005
【図４】
2018060156.tif 000006
【図５】
2018060156.tif 000007
【図６】
2018060156.tif 000008
【図７】
2018060156.tif 000009
【図８】
2018060156.tif 000010
【図９】
2018060156.tif 000011
【図１０】
2018060156.tif 000012
【図１１】
2018060156.tif 000013
【図１２】
2018060156.tif 000014
【図１３】
2018060156.tif 000015
【図１４】
2018060156.tif 000016
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
表示領域を備える基板と、
前記表示領域内に備えられるｍ個のサブピクセルを備えるＭ＊ｎ個のピクセル（ｍは３または４、Ｍはｍが３である場合、偶数であり、ｍが４である場合、自然数）と、
前記基板上の（Ｍ＊ｍ／２）＋１個のデータラインと、
前記基板上の前記データラインと交差する２ｎ個（ｎは自然数）のゲートラインと、
前記基板上の複数のタッチ電極と、
前記複数のタッチ電極にタッチ駆動信号を供給するために、前記データラインと列方向のサブピクセルを間にして交互に配置された複数のタッチセンシングラインとを含み、
前記サブピクセルのｎ行は、前記２ｎ個のゲートラインの連続した奇数番目のゲートラインと偶数番目のゲートラインで画定され、
前記サブピクセルのｎ行と対応する各水平ラインには、（Ｍ＊ｍ／２）−１個のデータラインが一対のサブピクセルを共有するように接続され、
前記タッチ電極間の境界には、前記タッチセンシングラインが位置しない、タッチスクリーン内蔵型表示装置。
【請求項２】
前記タッチ電極間に前記データラインが配置される、請求項１に記載のタッチスクリーン内蔵型表示装置。
【請求項３】
前記基板の表示領域の両側端には、第１番目と第（Ｍ＊ｍ／２）＋１番目のデータラインが配置される、請求項１に記載のタッチスクリーン内蔵型表示装置。
【請求項４】
前記表示領域の両側端に配置された前記第１番目と第（Ｍ＊ｍ／２）＋１番目のデータラインの外側にそれぞれ配置された第１および第２のダミーサブピクセルをさらに含む、請求項３に記載のタッチスクリーン内蔵型表示装置。
【請求項５】
各水平ラインの両側端に、前記第１および第２のダミーサブピクセルが配置される、請求項４に記載のタッチスクリーン内蔵型表示装置。
【請求項６】
偶数番目のゲートラインと接続された赤色サブピクセルが、第１番目のデータラインと接続された、請求項５に記載のタッチスクリーン内蔵型表示装置。
【請求項７】
前記第１および第２のダミーサブピクセルは、前記ゲートラインおよび前記第１番目と第（Ｍ＊ｍ／２）＋１番目のデータラインと電気的に分離された、請求項４に記載のタッチスクリーン内蔵型表示装置。
【請求項８】
前記サブピクセルは、複数のタッチ電極とそれぞれ重畳し、前記第１および第２のダミーサブピクセルは、タッチ電極と一部が重畳する、請求項４に記載のタッチスクリーン内蔵型表示装置。
【請求項９】
各水平ラインに配置されたサブピクセルは、奇数番目のゲートラインと接続される弱充電サブピクセルと、偶数番目のゲートラインと接続される強充電サブピクセルとに区分され、
前記サブピクセルのうち、青色（Ｂ）のサブピクセルは、前記強充電サブピクセルと前記弱充電サブピクセルに交互に配置される、請求項１に記載のタッチスクリーン内蔵型表示装置。
【請求項１０】
各水平ラインに配置されたサブピクセルは、奇数番目のゲートラインと接続される弱充電サブピクセルと、偶数番目のゲートラインと接続される強充電サブピクセルとに区分され、
各水平ラインに配置されたサブピクセルのうち、赤色（Ｒ）のサブピクセルは、前記強充電サブピクセルに配置される、請求項１に記載のタッチスクリーン内蔵型表示装置。
【請求項１１】
各水平ラインに配置されたサブピクセルは、奇数番目のゲートラインと接続される弱充電サブピクセルと、偶数番目のゲートラインと接続される強充電サブピクセルとに区分され、
各水平ラインに配置されたサブピクセルのうち、緑色（Ｇ）のサブピクセルは、前記弱充電サブピクセルに配置される、請求項１に記載のタッチスクリーン内蔵型表示装置。
【請求項１２】
表示領域を備える基板と、前記表示領域内に備えられるｍ個のサブピクセルを備えるＭ＊ｎ個のピクセル（ｍは３または４、Ｍはｍが３である場合、偶数であり、ｍが４である場合自然数）と、前記基板上の（Ｍ＊ｍ／２）＋１個のデータラインと、前記基板上の前記データラインと交差する２ｎ個（ｎは自然数）のゲートラインおよび前記基板上の複数のタッチ電極と、前記複数のタッチ電極にタッチ駆動信号を供給するために、前記データラインと列方向のサブピクセルを間にして交互に配置された複数のタッチセンシングラインとを含み、
前記サブピクセルのｎ行は、前記２ｎ個のゲートラインの連続した奇数番目のゲートラインと偶数番目のゲートラインで画定され、
前記サブピクセルのｎ行と対応する各水平ラインには、（Ｍ＊ｍ／２）-１個のデータラインが一対のサブピクセルを共有するように接続され、前記タッチ電極間の境界には、前記タッチセンシングラインが位置しない、タッチスクリーン内蔵型表示装置の駆動方法において、
各水平ラインに配置されたサブピクセルは、各データラインを基準に左側から右側方向への駆動と右側から左側方向への駆動が混在して駆動するステップを含む、タッチスクリーン内蔵型表示装置の駆動方法。
【請求項１３】
前記表示領域の両側端に配置された第１番目と第（Ｍ＊ｍ／２）＋１番目のデータラインの外側にそれぞれ配置された第１および第２のダミーサブピクセルをさらに含み、
前記第１および第２のダミーサブピクセルには、駆動中のデータ電圧が供給されない、請求項１２に記載のタッチスクリーン内蔵型表示装置の駆動方法。
【請求項１４】
各水平ラインに配置されたサブピクセルは、奇数番目のゲートラインと接続される弱充電サブピクセルと、偶数番目のゲートラインと接続される強充電サブピクセルとに区分され、
前記サブピクセルのうち、青色（Ｂ）のサブピクセルは、前記強充電サブピクセルと前記弱充電サブピクセルに交互に配置される、請求項１２に記載のタッチスクリーン内蔵型表示装置の駆動方法。
【請求項１５】
各水平ラインに配置されたサブピクセルは、奇数番目のゲートラインと接続される弱充電サブピクセルと、偶数番目のゲートラインと接続される強充電サブピクセルとに区分され、
各水平ラインに配置されたサブピクセルのうち、赤色（Ｒ）のサブピクセルは前記強充電サブピクセルに配置される、請求項１２に記載のタッチスクリーン内蔵型表示装置の駆動方法。
【請求項１６】
各水平ラインに配置されたサブピクセルは、奇数番目のゲートラインと接続される弱充電サブピクセルと、偶数番目のゲートラインと接続される強充電サブピクセルとに区分され、
各水平ラインに配置されたサブピクセルのうち、緑色（Ｇ）のサブピクセルは、前記弱充電サブピクセルに配置される、請求項１２に記載のタッチスクリーン内蔵型表示装置の駆動方法。